(57)【要約】      （修正有）【課題】開き操作時にラッチを係合解除しながら戸パネルを開放する開き戸開放装置の構造の簡単化や施工の容易化を図り、ラッチ受けを枠側に、またラッチを戸パネル側にそれぞれ設ける通常の開き戸の構成にする。【解決手段】枠１において、戸パネル５の回動側端部５ｂに対応する縦枠部１ｂに、戸パネル５側のラッチ７を没入移動させてラッチ受け１５との係合を解除するラッチ解除機構１７と、戸パネル５を開き側に押圧して回動させる戸パネル押出機構１８とを設ける。枠１の前側（表側）に突出する操作ボタン１９の押込み操作により、ラッチ解除機構１７でラッチ７とラッチ受け１５との係合を解除した後、戸パネル押出機構１８で戸パネル５を後側から押して開き側に回動させる。【選択図】図１
2008174997.tif 000002
【特許請求の範囲】
【請求項１】
ラッチ受けが設けられた枠と、該枠に支持側端部で回動可能に支持された戸パネルと、該戸パネルの回動側端部に戸先端面に対し出没可能に支持され、突出時に上記ラッチ受けに係合して戸パネルを閉じ位置に保持するラッチとを備えた開き戸の開放装置であって、
上記枠には、
該枠に表裏方向に移動可能にかつ枠の表側に突出するように支持された操作部と、
上記操作部を裏側に押込み操作したときに、上記閉じ位置にある戸パネルの上記ラッチを没入方向に移動させてラッチ受けとの係合を解除するラッチ解除機構と、
上記操作部を裏側に押込み操作したときに、上記ラッチ解除機構によってラッチとラッチ受けとの係合が解除された後に、上記閉じ位置にある戸パネルの回動側端部を押して戸パネルを開き側に回動させる戸パネル押出機構と
が設けられていることを特徴とする開き戸の開放装置。
【請求項２】
請求項１の開き戸の開放装置において、
枠に表裏方向にスライド可能に設けられ、かつ表側端に操作部が形成されていて該操作部の押込み操作によって裏方向に移動する開放動作を行うスライド部材を備え、
ラッチ解除機構は、上記スライド部材に形成されかつ該スライド部材の開放動作によりラッチの先端面に当接して該ラッチを没入方向に移動させる傾斜カム面を有し、
戸パネル押出機構は、中間部が枠に支点部材を介して揺動可能に設けられかつ基端部が上記スライド部材に連結された揺動リンクと、該揺動リンクの先端部に連結され、スライド部材が開放動作をしたときに、上記揺動リンクの回動を介して表方向に移動して戸パネルを裏面側から押す戸パネル押出部材とを有し、
上記揺動リンクの基端部とスライド部材との間又は揺動リンクの先端部と戸パネル押出部材との間の少なくとも一方には、スライド部材の開放動作に対し戸パネル押出部材の表側の移動を遅らせるクリアランスが設けられていることを特徴とする開き戸の開放装置。
【請求項３】
請求項２の開き戸の開放装置において、
揺動リンクの基端部とスライド部材との連結位置から支点部材までの距離が、揺動リンクの先端部と戸パネル押出部材との連結位置から支点部材までの距離よりも小さいことを特徴とする開き戸の開放装置。
【請求項４】
請求項１の開き戸の開放装置において、
ラッチの先端部裏面側には、先端側に向かって表側に向かうように傾斜する先端傾斜面が形成されており、
枠に対し中間部で表裏方向と直交する水平方向の支点で揺動可能に設けられ、かつ一端に操作部が連結されていて該操作部の押込み操作によって他端部が表側に移動する開放動作を行う揺動部材を備え、
ラッチ解除機構は、上記揺動部材の他端側に形成されかつ該揺動部材の開放動作により上記ラッチを先端傾斜面で表側に押圧して没入方向に移動させるラッチ押込み部を有し、
戸パネル押出機構は、上記揺動部材の他端側に設けられかつ該揺動部材の開放動作により戸パネルを裏面側から押す戸パネル押出部材を有することを特徴とする開き戸の開放装置。
【発明の詳細な説明】
【技術分野】
【０００１】
本発明は、開き戸の戸パネルをラッチの係合解除後に開き方向に回動させて開放をアシストするようにした開き戸の開放装置に関するものである。
【背景技術】
【０００２】
一般に、住宅等の建築物の開口部に設けられている開き戸には、枠のラッチ受けに係合して戸パネルの閉鎖状態を保持するためのラッチが設けられている。そして、このラッチのラッチ受けとの係合を解除して開き戸を開くときには、戸パネルのレバーハンドル等の把手を掴んで下げる開き操作を行うことでラッチの係合を外した後、そのまま把手を戸パネルの開き方向である手前側に引くか奥側に押すかすることにより開き戸を開くことが行われている。
【０００３】
しかし、荷物等を持っていて両手が塞がっている状態で開き戸を開放しようとした場合や、手先の運動機能に障害がある身障者が開き戸を開放しようとした場合は、把手を掴む動作を行い難く、開き戸をスムースに開くことが困難となる。特に、戸パネルを手前に引いて開くためには、把手を確実に掴む必要があり、極めて困難であった。
【０００４】
そこで、従来、例えば特許文献１に示されるように、戸パネルの支持側（蝶番側）の端面又はこの端面に対向する枠のいずれか一方に、戸パネルを常時開放方向に付勢する弾性部材を設けるとともに、戸パネルの回動側端部にラッチ受けを設け、その回動側端部にある枠の表裏面に、戸パネル側のラッチ受けに係合するラッチと、このラッチを係合解除位置まで後退させる押しボタンとを設け、この押しボタンの押し操作によりラッチの係合を解除したときに、戸パネルを弾性部材の付勢力によって強制的に開放させることが提案されている。
【特許文献１】特開２００１−２０７６９８号公報
【発明の開示】
【発明が解決しようとする課題】
【０００５】
ところが、上記従来の特許文献１のものでは、戸パネルの支持側（蝶番側）に弾性材料を、また回動側（ラッチ側）に押しボタンをそれぞれ分けて設けなければならず、構造が複雑で施工に手間がかかるという問題があった。
【０００６】
また、ラッチ受けを戸パネル側に設ける一方、ラッチを枠側に取り付ける構成であり、この構成は、ラッチ受けを枠側に、またラッチを戸パネル側にそれぞれ設ける通常の開き戸の構成と配置が逆であるため、この構成に対応する新たな枠と戸パネルとを用意する必要がある。
【０００７】
さらに、弾性部材によって戸パネルを開くので、その戸パネルの重さ等に合わせた弾性部材の選定や調節が必要である。
【０００８】
本発明は斯かる諸点に鑑みてなされたものであり、その目的は、上記の機能を持つ開き戸の開放装置の機構を工夫することにより、その構造の簡単化や施工の容易化を図り、ラッチ受けを枠側に、またラッチを戸パネル側にそれぞれ設ける通常の開き戸の構成にしながら、開き操作時のラッチの係合解除に伴って戸パネルを開放し得るようにすることにある。
【課題を解決するための手段】
【０００９】
上記の目的を達成すべく、この発明では、戸パネルの回動側端部に対応する枠に対し、戸パネル側のラッチを没入移動させてラッチ受けとの係合を解除するラッチ解除機構と、戸パネルを押圧して開き側に回動させる戸パネル押出機構とを設け、これら機構を枠の表側に突出する操作部の押込み操作により連係して作動させ、ラッチとラッチ受けとの係合を解除してから戸パネルを開き側に回動させるようにした。
【００１０】
具体的には、請求項１の発明では、ラッチ受けが設けられた枠と、この枠に支持側端部で回動可能に支持された戸パネルと、この戸パネルの回動側端部に戸先端面に対し出没可能に支持され、突出時に上記ラッチ受けに係合して戸パネルを閉じ位置に保持するラッチとを備えた開き戸の開放装置が対象である。
【００１１】
そして、上記枠には、その枠に表裏方向に移動可能にかつ枠の表側に突出するように支持された操作部と、この操作部を裏側に押込み操作したときに、上記閉じ位置にある戸パネルの上記ラッチを没入方向に移動させてラッチ受けとの係合を解除するラッチ解除機構と、上記操作部を裏側に押込み操作したときに、上記ラッチ解除機構によってラッチとラッチ受けとの係合が解除された後に、上記閉じ位置にある戸パネルの回動側端部を押して戸パネルを開き側に回動させる戸パネル押出機構とが設けられていることを特徴とする。
【００１２】
上記の構成によると、開き戸が閉じているときには、閉じ位置にある戸パネルの回動側端部の戸先端面からラッチが突出して枠のラッチ受けに係合し、戸パネルが閉じ位置に保持されている。この開き戸を開くときには、枠の表側に突出している操作部を裏側に押込み操作すると、まず、ラッチ解除機構が作動し、上記閉じ位置にある戸パネルのラッチが没入方向に移動してラッチ受けとの係合が解除される。次いで、このラッチ解除機構の作動が終了してラッチとラッチ受けとの係合が解除された後に戸パネル押出機構が作動し、閉じ位置にある戸パネルの回動側端部が押されて戸パネルが開き側に回動する。このことで、開き戸の開放がアシストされる。
【００１３】
この発明では、枠に設けた操作部を裏側に押込み操作するだけでラッチのラッチ受けとの係合が解除され、その後に戸パネルが開き側に押されて開くので、荷物等を持って両手が塞がっている状態や、手先の運動機能に障害がある身障者であっても、表側から開き戸を容易に開放することができる。
【００１４】
また、ラッチ解除機構及び戸パネル押出機構がいずれも枠側に設けられているため、ラッチ受けを枠側に、またラッチを戸パネル側にそれぞれ設ける通常の開き戸の構成を略そのまま採用することができる。
【００１５】
しかも、ラッチ解除機構及び戸パネル押出機構を枠側に設けることで、従来のように、戸パネルにラッチ解除機構やその操作を行うレバーハンドル等の把手を取り付けることが必須ではなくなり、戸パネルのデザインの幅を広げることができ、意匠性に優れた戸パネルのデザインが可能である。
【００１６】
さらに、戸パネルの回動側端部に対応する枠に操作部、ラッチ解除機構及び戸パネル押出機構を設ければよいので、従来のように、戸パネルの支持側及び回動側にそれぞれ弾性材料及び押しボタンを分けて設けることは不要となり、開き戸の開放装置の構造及び施工が簡単になる。
【００１７】
請求項２の発明では、枠に表裏方向にスライド可能に設けられ、表側端に操作部が形成されていて該操作部の押込み操作によって裏方向に移動する開放動作を行うスライド部材を設ける。また、上記ラッチ解除機構は、上記スライド部材に形成されかつ該スライド部材の開放動作によりラッチの先端面に当接して該ラッチを没入方向に移動させる傾斜カム面を有するものとする。さらに、上記戸パネル押出機構は、中間部が枠に支点部材を介して揺動可能に設けられかつ基端部が上記スライド部材に連結された揺動リンクと、この揺動リンクの先端部に連結され、スライド部材が開放動作をしたときに、上記揺動リンクの回動を介して表方向に移動して戸パネルを裏面側から押す戸パネル押出部材とを有するものとする。そして、上記揺動リンクの基端部とスライド部材との間又は揺動リンクの先端部と戸パネル押出部材との間の少なくとも一方には、スライド部材の開放動作に対し戸パネル押出部材の表側の移動を遅らせるクリアランスを設ける。
【００１８】
この発明によると、開き戸を開くときには、枠の表側に突出している操作部を裏側に押込み操作すると、その操作部が表側端に形成されているスライド部材が裏側に移動して開放動作をする。このスライド部材の開放動作（裏方向へのスライド移動）に伴い、まず、スライド部材に形成されている傾斜カム面がラッチの先端面に当接してラッチを没入方向に移動させ、このことでラッチとラッチ受けとの係合が解除されて戸パネルが開放状態となる。このとき、戸パネル押出機構の揺動リンクの基端部とスライド部材との間又は揺動リンクの先端部と戸パネル押出部材との間の少なくとも一方にクリアランスが設けられているので、このクリアランスにより、スライド部材の開放動作があっても戸パネル押出部材は表側に移動しない。そして、スライド部材の開放動作がさらに続いて上記クリアランスがなくなると、揺動リンクの基端部が裏側に押されて揺動リンクが支点部材を中心として回動し、その先端部に連結されている戸パネル押出部材が表方向に移動して戸パネルを裏面側から押す。このことで、上記ラッチの解除によって開き状態となっている戸パネルが閉じ位置から開き、開き戸の開放がアシストされる。従って、この発明でも請求項１の発明と同様の作用効果が得られる。
【００１９】
請求項３の発明では、上記揺動リンクの基端部とスライド部材との連結位置から支点部材までの距離を、揺動リンクの先端部と戸パネル押出部材との連結位置から支点部材までの距離よりも小さくする。
【００２０】
こうすると、操作部を押し込んでスライド部材を裏側に移動させる距離と、戸パネル押出部材を表側に移動させて戸パネルを押す距離とを比較したときに、前者のスライド部材の移動距離よりも後者の戸パネル押出部材の移動距離を大きくすることができ、操作部の少しの押込み操作によって戸パネルを開くことができる。
【００２１】
請求項４の発明では、上記請求項１の発明の開き戸の開放装置において、そのラッチの先端部裏面側に、先端側に向かって表側に向かうように傾斜する先端傾斜面が形成されている。そして、枠に対し中間部で表裏方向と直交する水平方向の支点で揺動可能に設けられ、かつ一端に操作部が連結されていて該操作部の押込み操作によって他端部が表側に移動する開放動作を行う揺動部材を設ける。また、上記ラッチ解除機構は、上記揺動部材の他端側に形成されかつ該揺動部材の開放動作により上記ラッチを先端傾斜面で表側に押圧して没入方向に移動させるラッチ押込み部を有するものとする。さらに、上記戸パネル押出機構は、上記揺動部材の他端側に設けられかつ該揺動部材の開放動作により戸パネルを裏面側から押す戸パネル押出部材とを有するものとする。
【００２２】
この発明によれば、開き戸を開くときには、枠の表側に突出している操作部を押込み操作すると、その操作部が一端に連結されている揺動部材が回動して開放動作する。この揺動部材の開放動作（回動）に伴い、まず、回動部材の他端側に形成されているラッチ押込み部がラッチの先端傾斜面を押圧してラッチを没入方向に移動させる。このことでラッチとラッチ受けとの係合が解除されて戸パネルが開放状態となる。さらに揺動部材の開放動作が続くと、今度は、その揺動部材の他端側に設けられている戸パネル押出部材が表方向に移動して戸パネルを裏面側から押す。このことで、上記ラッチの解除によって開き状態となっている戸パネルが閉じ位置から開き、開き戸の開放がアシストされる。従って、この発明でも請求項１の発明と同様の作用効果が得られる。
【発明の効果】
【００２３】
以上説明した如く、請求項１、２及び４の発明によると、開き戸の枠に、枠の表側に突出する操作部と、この操作部を裏側に押込み操作したときに、閉じ位置にある戸パネルのラッチを没入方向に移動させてラッチ受けとの係合を解除するラッチ解除機構と、このラッチ解除機構によってラッチとラッチ受けとの係合が解除された後に、戸パネルの回動側端部を押して戸パネルを開き側に回動させる戸パネル押出機構とを設けたことにより、ラッチ受けを枠側に、またラッチを戸パネル側にそれぞれ設ける通常の開き戸の構成を採用し、かつ戸パネルにラッチ解除機構やその操作を行うレバーハンドル等の把手を取り付けることを不要として意匠性に優れた戸パネルのデザインを可能とし、かつ開き戸の開放装置の構造及び施工を簡単にしながら、荷物等を持って両手が塞がっている状態や、手先の運動機能に障害がある身障者であっても、容易に開き戸を開放することができる。
【００２４】
請求項３の発明によると、上記請求項２の発明における揺動リンクの基端部とスライド部材との係合位置から支点部材までの距離を、揺動リンクの先端部と戸パネル押出部材との連結位置から支点部材までの距離よりも小さくしたことにより、操作部の押込み操作量を少なくして戸パネルを開くことができる。
【発明を実施するための最良の形態】
【００２５】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００２６】
（実施形態１）
図８は本発明の実施形態１に係る開き戸Ｄを示し、この開き戸Ｄは、図１及び図２に示すように例えば第１室Ｒ１と第２室Ｒ２との境界部に表側が第１室Ｒ１に、また裏側が第２室Ｒ２にそれぞれ面するように設置されている。尚、以下の説明では、その便宜を図るため、開き戸Ｄの表側を主に「前側」と称し、裏側を主に「後側」と称する。また、「左」及び「右」とは開き戸Ｄの表側（第１室Ｒ１側）から見た状態を指すものとする。
【００２７】
上記開き戸Ｄは、左右両側の縦枠部１ａ，１ｂ及び該両縦枠部１ａ，１ｂの上端間に連結された横枠部１ｃからなる枠１と、この枠１の内部に配置された戸パネル５とを備えている。上記戸パネル５の例えば右側端部（左側端部であってもよい）は支持側端部５ａに、また左側端部（右側端部であってもよい）は回動側端部５ｂにそれぞれ設定され、支持側端部５ａは、該支持側端部５ａに対応する右側の縦枠部１ａに支軸としての上下複数の蝶番６，６を介して回動可能に支持されている。すなわち、戸パネル５は枠１に蝶番６，６によって開閉可能に支持されており、その蝶番６，６を支点として、戸パネル５を図１で反時計回り方向に回動させて回動側端部５ｂを前側（第１室Ｒ１側）に向かう方向に移動させたときに開き戸Ｄが開く一方、時計回り方向に回動させて回動側端部５ｂを後側（第２室Ｒ２側）に向かう方向に移動させたときに開き戸Ｄが閉じるようになっている。
【００２８】
上記戸パネル５の回動側端部５ｂに対応する左側の縦枠部１ｂの右面（内面）には、上下方向に延びる例えば中空樹脂製等の上下の戸当たり２，２が互いに間隔をあけて上下に直列に並びかつ両戸当たり２，２間の高さを所定高さにして取付固定されており、閉じ位置にある戸パネル５の回動側端部５ｂに戸当たり２を当接させて戸パネル５を閉じ位置に規制するようにしている。
【００２９】
上記左側縦枠部１ｂには、上記上下の戸当たり２，２間の位置に対応する縦枠部１ｂの前面右側（表面内側）の隅角部を例えば後方向（裏方向）に向かって戸当たり２を超える位置まで切り欠いてなる切欠段部３が形成され、この切欠段部３に、本発明の実施形態１に係る開き戸開放装置１０がねじ止め等により取付固定されている。この開き戸開放装置１０は、左側縦枠部１ｂの切欠段部３に嵌入されて取付固定された例えばステンレス鋼の金属等からなる矩形箱状のケーシング１１を有する。このケーシング１１において縦枠部１ｂの前側（第１室Ｒ１側）にある前面は該縦枠部１ｂの前面に、また縦枠部１ｂの右側（内側）にある右面は該縦枠部１ｂの右面（内面）にそれぞれ略面一になった状態で露出している。
【００３０】
上記ケーシング１１の前壁部には、後述する操作ボタン１９（操作部）を挿通させるための矩形状のボタン挿通口１２が開口されている。また、縦枠部１ｂの内面側にある右側壁部には、その前側寄り（戸当たり２の位置よりも前側）の上下略中央の部位を矩形状に開口させてなるラッチ受け１５が形成されている。すなわち、このラッチ受け１５は、ケーシング１１が固定されている枠１の縦枠部１ｂに設けられており、ラッチ受け１５（開口）に戸パネル５側の後述するラッチ７を進入させることで、そのラッチ７とラッチ受け１５とを係合させて戸パネル５を閉じ位置に保持するようになっている。
【００３１】
一方、上記戸パネル５の回動側端部５ｂにはラッチ７が、回動側端部５ｂの戸先端面に対し出没可能となるように支持されている。また、戸パネル５の回動側端部５ｂには把手としてのレバーハンドル８，８（図８に前側のみを示す）がそれぞれ戸パネル５の前後両側面に突出した状態で回動可能に支持され、このレバーハンドル８，８は開き戸Ｄの開き時には例えば押し下げられる操作が行われる。
【００３２】
さらに、図示しないが、上記戸パネル５の回動側端部５ｂには公知のドア開閉ユニットが取付固定されている。このドア開閉ユニットのケースには、戸パネル５が閉じ位置にあるときの上記ラッチ受け１５（開口）に対応する位置にラッチ出没孔が開口され、ケース内にはラッチ７が該ラッチ出没孔を挿通して戸先端面に対し出没するようにスライド可能に支持されて収容されている。このラッチ７はばねによって常時突出方向に付勢されており、このばねの付勢力によってラッチ７が戸パネル５の閉じ位置で突出したときにラッチ受け１５に進入係合して戸パネル５を閉じ位置に保持するようになっている。
【００３３】
ラッチ７の先端部には、その先端後側（戸当たり２側）の角部を斜めに切り欠くことで、ラッチ７の先端側に向かって前側に向かうように傾斜する周知の先端傾斜面７ａが形成されており、戸パネル５を閉じ位置に回動させたときに、その先端傾斜面７ａを縦枠部１ｂ前面の右側角部、詳しくはケーシング１１前壁部の右側角部に当接させることで、ラッチ７をレバーハンドル８の開き操作によらずに上記ばねの付勢力に抗して没入させるようにしている。
【００３４】
上記ケースの内部には、レバーハンドル８の開き操作に応じてラッチ７を没入移動させるラッチ駆動機構が設けられている。このラッチ駆動機構は、例えば、ケースに前後方向の回動中心回りに回動可能に支持されかつその回動中心にハンドル軸が連結されたアームと、ケースに前後方向の回動中心回りに回動可能に支持され、上記アームの先端部及びラッチ７の後端部にそれぞれ係合可能なリンクとを備え、ハンドル軸はケース及び戸パネル５を貫通して戸パネル５の前後面に突出し、その突出部に上記レバーハンドル８，８が一体的に固定されている。そして、開き戸Ｄの開き時、戸パネル５の前後両側にあるレバーハンドル８，８のいずれかを先端部が戸パネル５の前後面に沿って下方に移動するように押し下げて回動させる開き操作することで、このレバーハンドル８，８と一体のアームを回動させ、このアームの回動によりリンクの回動を介してラッチ７をばねの付勢力に抗して没入移動させ、そのラッチ７のラッチ受け１５との係合を解除して、戸パネル５を開放可能状態とするようになっている。
【００３５】
尚、戸パネル５を閉じた際にラッチ７が先端傾斜面７ａでケーシング１１前壁部の右側角部（縦枠部１ｂ前面の右側角部）と当接し、或いはラッチ７が没入方向に押し込まれることで、レバーハンドル８の操作によらずに没入移動したときには、ラッチ駆動機構のリンクのみがラッチ７の移動と共に回動するだけで、アーム、ハンドル軸、レバーハンドル８は回動しないようになっている。
【００３６】
上記ラッチ７、レバーハンドル８及びラッチ駆動機構は公知のものが用いられている。また、ラッチ７は後述するラッチ解除機構１７や戸パネル押出機構１８の動きを阻害しないものであれば、従来から開き戸に用いられている一般的なものを使用することができる。
【００３７】
本発明の特徴として、図７にも示すように、上記枠１において戸パネル５の回動側端部に対応する左側の縦枠部１ｂには、閉じ位置にある戸パネル５のラッチ７を没入方向に移動させてラッチ７及びラッチ受け１５の係合を解除するラッチ解除機構１７と、閉じ位置にある戸パネル５の回動側端部５ｂを後側（裏側）から押して戸パネル５を開き方向に回動させる戸パネル押出機構１８と、縦枠部１ｂに前後方向（表裏方向）に移動可能にかつ縦枠部１ｂの前側（表側）に突出するように支持された操作部としての操作ボタン１９とが設けられ、上記ラッチ解除機構１７及び戸パネル押出機構１８は、上記操作ボタン１９（操作部）を後側（裏側）に押込み操作したときに、ラッチ解除機構１７によってラッチ７とラッチ受け１５との係合を解除した後に、戸パネル押出機構１８により戸パネル５を開き側に回動させるように構成されている。
【００３８】
具体的には、上記縦枠部１ｂに取付固定されている開き戸開放装置１０のケーシング１１の内部にはスライド部材２３が、前端の待機位置と後端の押込位置との間を前後方向にスライド可能に支持されている。このスライド部材２３の後端（裏側端）とケーシング１１の後壁部との間には、スライド部材２３を前側に付勢する圧縮ばねからなるばね２６が縮装されている一方、スライド部材２３の前端（表側端）に上記操作ボタン１９（操作部）が一体に形成されている。この操作ボタン１９は上記ケーシング１１前壁部のボタン挿通口１２を挿通して縦枠部１ｂの前側に突出しており、操作ボタン１９を後側（裏側）に押込み操作したときに、スライド部材２３がばね２６の付勢力に抗してケーシング１１内で後側にスライド移動する開放動作を行うようになっている。
【００３９】
上記スライド部材２３において枠１の内側に位置する右側面には、その前側寄りの中間部を部分的に上下面間に亘って断面矩形状に切り欠いた凹陥部２３ａが形成され、この凹陥部２３ａ内に、ラッチ受け１５に進入したラッチ７が収容される。凹陥部２３ａの上下略中央位置には上下方向の厚さの薄い例えばステンレス鋼の金属等からなるカム部材２４がスライド部材２３と一体的に設けられ、このカム部材２４の右端部（枠１の内側に位置する端部）にはその長さ方向（前後方向）の中間部に略矩形状の切欠凹部２４ａが形成され、この切欠凹部２４ａの前側面には、前側に向かって右側に向かうように傾斜して上記ラッチ解除機構１７の一部をなす傾斜カム面２５が形成されており、スライド部材２３の開放動作（後側へのスライド移動）に伴い、傾斜カム面２５が上記戸パネル５におけるラッチ７の先端前側角部に当接して、そのカム作用によりラッチ７を没入方向に移動させるようにしている。
【００４０】
上記スライド部材２３において凹陥部２３ａよりも後側の上下略中央には、上下部を後端面までそれぞれ矩形状に切り欠くことで前後方向に延びる連結部２３ｂが形成され、この連結部２３ｂには、前後方向に延びる長径を有しかつ連結部２３ｂの上下端面間に亘り貫通する１対の長孔２７，２７が前後方向に直列に並んで形成され、この各長孔２７には上下方向に延びる係合ピン２８が長孔２７内を前後方向（長孔２７の長径方向）に相対移動可能に挿通され、各係合ピン２８の上下端部は連結部２３ｂの上下面よりも突出している。
【００４１】
また、ケーシング１１の右壁部には上下１対のブラケット１１ａ，１１ａが上記スライド部材２３の連結部２３ｂの上下両側に所定の隙間をあけて延びるように一体に突設され、これらブラケット１１ａ，１１ａ間のケーシング１１右壁部には、後述の揺動リンク３７，３７，…を挿通させるリンク挿通口３０が開口されている。
【００４２】
さらに、上記ケーシング１１の右側外部には、戸パネル５を後側（裏面側）から押すための戸パネル押出部材３３が配置されている。この戸パネル押出部材３３は上記上下の戸当たり２，２間の間隔よりも少し短くかつ断面の外郭形状が各戸当たり２と略同じ形状とされた直方体からなるもので、開き戸Ｄが閉じ位置にあるときには、上下の戸当たり２，２間に前面（押出面）が戸当たり２の前面と上下に連続する位置か或いは戸当たり２の前面よりも少し後側に下がった位置に配置される。戸パネル押出部材３３の左側面（ケーシング１１側の面）には、上記ケーシング１１のリンク挿通口３０に対応する上下の略中間部に、その左側面を前後面間に亘って断面矩形状に切り欠いた凹陥部３３ａが形成され、この凹陥部３３ａの上下両側面間には上下方向の軸心を持つ前後１対のリンクピン３５，３５が前後方向に並んだ状態で架設されている。
【００４３】
上記スライド部材２３の連結部２３ｂと戸パネル押出部材３３とは２対の揺動リンク３７，３７，…によって連結されている。これら揺動リンク３７，３７，…は、上下に対応するものを１対として両対が前後に並ぶように配列されている。そのうちの２つの上側揺動リンク３７，３７は、上記ケーシング１１における上側ブラケット１１ａの下側に、また２つの下側揺動リンク３７，３７は、ケーシング１１における下側ブラケット１１ａの上側にそれぞれ配置されている。そして、このケーシング１１の上下ブラケット１１ａ，１１ａ間には上下方向に延びる支持軸３８，３８（支点部材）が前後に並んで掛け渡され、前側の上下１対の揺動リンク３７，３７の各中間部は前側の支持軸３８を介して、また後側の上下１対の揺動リンク３７，３７の各中間部は後側の支持軸３８を介してそれぞれ上下のブラケット１１ａ，１１ａに揺動可能に支持されている。
【００４４】
また、上記前側（図１で下側）の上下１対の揺動リンク３７，３７の各基端部は、それぞれ上記スライド部材２３における連結部２３ｂの前側の長孔２７に挿通されている係合ピン２８の上下端部（上側揺動リンク３７にあっては係合ピン２８の上端部、下側揺動リンク３７にあっては係合ピン２８の下端部）に揺動可能に連結され、後側（図１で上側）の上下１対の揺動リンク３７，３７の各基端部は、それぞれ後側の長孔２７に挿通されている係合ピン２８の上下端部（上側揺動リンク３７にあっては係合ピン２８の上端部、下側揺動リンク３７にあっては係合ピン２８の下端部）に揺動可能に連結されている。
【００４５】
一方、前側の上下２つの揺動リンク３７，３７の先端部は上記ケーシング１１のリンク挿通口３０内の前側を通ってケーシング１１の右外側に位置していて、戸パネル押出部材３３における凹陥部３３ａの前側のリンクピン３５（上側揺動リンク３７にあってはリンクピン３５の上端部、下側揺動リンク３７にあってはリンクピン３５の下端部）に、また後側の上下２つの揺動リンク３７，３７の先端部は上記リンク挿通口３０内の後側を通ってケーシング１１の右外側に位置していて、上記凹陥部３３ａの後側のリンクピン３５（上側揺動リンク３７にあってはリンクピン３５の上端部、下側揺動リンク３７にあってはリンクピン３５の下端部）にそれぞれ揺動可能に連結されている。このことで、スライド部材２３の前後方向のスライド移動により揺動リンク３７，３７，…の支持軸３８回りの揺動を介して戸パネル押出部材３３をスライド部材２３とは逆方向に前後に移動させ、操作ボタン１９の押込み操作によりスライド部材２３をばね２６の付勢力に抗して後方向にスライド移動させて開放動作をさせたときに、揺動リンク３７の図１で時計回り方向の回動によって戸パネル押出部材３３を前方向に移動させて戸パネル５を後面側から押すようになっている。
【００４６】
また、各揺動リンク３７の基端部に連結された係合ピン２８と、スライド部材２３における連結部２３ｂの長孔２７との間には、係合ピン２８を長孔２７，２７に対し相対移動させるクリアランスＣが設けられ、このクリアランスＣによりスライド部材２３の開放動作（後方向のスライド移動）に対し戸パネル押出部材３３の前側の移動を遅らせ、ラッチ解除機構１７によってラッチ７がラッチ受け１５から押し出されるまで戸パネル押出部材３３が動かないようにしている。
【００４７】
そして、上記揺動リンク３７，３７，…と戸パネル押出部材３３とで戸パネル押出機構１８が構成され、この戸パネル押出機構１８は、操作ボタン１９（操作部）を後側に押込み操作したときに、上記クリアランスＣにより、ラッチ解除機構１７の傾斜カム面２５にてラッチ７とラッチ受け１５との係合が解除された後に、閉じ位置にある戸パネル５の回動側端部５ｂを後側から開き側に押圧して戸パネル５を開き方向に回動させるように構成とされている。
【００４８】
さらに、上記各揺動リンク３７の基端部とスライド部材２３との連結位置である係合ピン２８の位置から支持軸３８（支点部材）までの距離Ｌ１が、揺動リンク３７の先端部と戸パネル押出部材３３との連結位置であるリンクピン３５の位置から上記支持軸３８までの距離Ｌ２よりも小さく設定されている（Ｌ１＜Ｌ２）。
【００４９】
尚、開き戸開放装置１０は、金属や樹脂等を用いて作られているが、ラッチ受け１５、ラッチ解除機構１７等、ラッチ７が繰り返し当たる部分等はステンレス鋼等の耐久性に優れた金属であることが好ましい（後述する実施形態２及び３も同様である）。
【００５０】
次に、上記実施形態の作動について説明する。開き戸Ｄの閉じ位置では、図１及び図２に示すように、戸パネル５のレバーハンドル８は水平状態にあり、ラッチ７はばねによって付勢されて戸先端面から突出している。図１に示すように、このラッチ７は枠１の左側縦枠部１ｂにおけるラッチ受け１５に進入して係合しており、このことで、戸パネル５は上下の戸当たり２，２に当接した状態で閉じ位置に保持されている。また、スライド部材２３はばね２６の付勢力により付勢されて前端の待機位置にあり、その凹陥部２３ａ内に上記突出状態のラッチ７が位置しているとともに、スライド部材２３の前端にある操作ボタン１９が左縦枠部１ｂの前面（表面）から突出している。また、スライド部材２３における連結部２３ｂの各長孔２７の後端（図１で上端）の位置に係合ピン２８が位置しており、上下の戸当たり２，２間にある戸パネル押出部材３３は、その前面（表面）が戸当たり２の前面と上下に連続する位置又は戸当たり２前面よりも少し後側に下がった位置に位置していて、戸パネル５を押していない。このように戸パネル押出部材３３が上下の戸当たり２，２間に連続して並ぶように配置されることで、戸パネル押出部材３３を設けることの違和感がなく、外観見映えが良くなる。
【００５１】
そして、開き戸Ｄを開くために、戸パネル５のレバーハンドル８が第１室Ｒ１又は第２室Ｒ２のいずれかから押し下げられて開き操作されると、この各レバーハンドル８の開き操作に伴い、アーム及びリンクが回動し、このリンクに係合しているラッチ７がばねの付勢力に抗して没入移動してラッチ受け１５から抜け出し、両者の係合が解除されて、戸パネル５が開放可能状態となる。このレバーハンドル８による開き操作は従来と同じであり、開き戸Ｄの開放はアシストされない。
【００５２】
これに対し、開き戸Ｄを開放がアシストされるように開くときには、上記レバーハンドル８の開き操作ではなく、枠１の左縦枠部１ｂに設けられている突出状態の操作ボタン１９をばね２６の付勢力に抗して押込み操作する。この操作に伴い、スライド部材２３が待機位置から後端の押込み位置に向かってスライド移動して開放動作をする。このスライド部材２３の開放動作により、まず、図３及び図４に示すように、スライド部材２３の傾斜カム面２５がラッチ７の先端面に当接してラッチ７を没入方向に移動させる。
【００５３】
このとき、スライド部材２３と各揺動リンク３７の基端部との間にクリアランスＣが設けられているので、スライド部材２３の開放動作の初期では、その連結部２３ｂの長孔２７が後方向に移動するだけであり、その長孔２７に挿通された係合ピン２８は長孔２７に対し前側に相対移動することで追従移動はしない。このことで、ラッチ７がラッチ受け１５から抜け出るまで、戸パネル押出部材３３は移動しないこととなる。
【００５４】
スライド部材２３がさらに後側に移動し、傾斜カム面２５がラッチ７を没入させることで、ラッチ７とラッチ受け１５との係合が解除されて戸パネル５が開放状態となる。この状態では、上記スライド部材２３と各揺動リンク３７の基端部との間のクリアランスＣがなくなり、スライド部材２３の連結部２３ｂの長孔２７の前端に係合ピン２８が係合して、この係合ピン２８の係合により各揺動リンク３７の基端部とスライド部材２３の連結部２３ｂが一体移動可能に連結される。この連結状態でスライド部材２３が後端の押込み位置に達すると、図５及び図６に示すように、スライド部材２３の移動（開放動作）に追従して揺動リンク３７，３７，…が支持軸３８回りに回動し、各揺動リンク３７の先端部に連結されている戸パネル押出部材３３がスライド部材２３の移動方向とは逆の前方向に移動して戸パネル５を後側から押す。このことで、上記ラッチ７の解除によって開き状態となっている戸パネル５が閉じ位置から開き、開き戸Ｄの開放がアシストされる。
【００５５】
そのとき、上記揺動リンク３７の基端部とスライド部材２３との係合位置である係合ピン２８から支持軸３８（支点部材）までの距離Ｌ１が、揺動リンク３７の先端部と戸パネル押出部材３３との連結位置であるリンクピン３５から支持軸３８までの距離Ｌ２よりも小さいので、操作ボタン１９を押し込んでスライド部材２３を後側に移動させる距離と、戸パネル押出部材３３を前側に移動させて戸パネル５を押す距離とを比較したときに、前者のスライド部材２３の移動距離よりも後者の戸パネル押出部材３３の移動距離が大きくなる。その結果、操作ボタン１９の少ない距離の押込み操作によって戸パネル５を開くことができる。
【００５６】
以上により、操作ボタン１９を押込み操作してラッチ７による閉じ位置への保持を解除するのに引き続いて自動的に戸パネル５が閉じ位置から開き方向に回動して開くこととなる。そのため、第１室Ｒ１から開き戸Ｄを開く際に、荷物等を持っていて両手が塞がっている状態で開き戸Ｄを開放しようとした場合や、手先の運動機能に障害がある身障者が開き戸Ｄを開放しようとした場合、操作ボタン１９を押込み操作さえすれば、その後は戸パネル５が強制的に開き方向に回動し、例えばレバーハンドル８を掴んだ状態で戸パネル５を手前に引いて開く動作は不要となり、開き戸Ｄをスムースに開き、その開き操作をアシストすることができる。
【００５７】
この実施形態では、レバーハンドル８の操作でもラッチ７のラッチ受け１５との係合が解除できるので、例えば通常はレバーハンドル８の操作によってラッチ７を解除し、上記両手が塞がっている場合や身障者の場合に、開き戸開放装置１０を用いて開き戸Ｄを開放するように使い分けてもよい。
【００５８】
一方、開き戸Ｄを閉じるときには、上記開き動作とは逆の動作が行われる。すなわち、レバーハンドル８を押し下げる操作（開き操作）をせずに戸パネル５を閉じ位置に回動させたときには、ラッチ７の先端傾斜面７ａが縦枠部１ｂ前面の右側角部に当接することで、ラッチ７がばねの付勢力に抗して没入する。或いはレバーハンドル８を押し下げながら戸パネル５を閉じ位置に回動させたときには、上記ラッチ駆動機構によりラッチ７が同様に没入する。そして、戸パネル５が上記突出している戸パネル押出部材３３に当接してそれを押すと、上記開き時とは逆に、図５→図３→図１（図６→図４→図２）の動作が行われ、戸パネル５に押された戸パネル押出部材３３が後側に移動し、この戸パネル押出部材３３に揺動リンク３７，３７，…を介して連結されているスライド部材２３がばね２６の付勢力に付勢されて前側に移動し、戸パネル５が戸当たり２との当接により停止して開き戸Ｄが閉じると、ラッチ７がラッチ受け１５に進入するとともに、スライド部材２３が待機位置に移動して、操作ボタン１９が当初の状態に突出する。
【００５９】
したがって、この実施形態においては、操作ボタン１９、ラッチ解除機構１７及び戸パネル押出機構１８がいずれも枠１側に設けられているので、ラッチ受け１５を枠１側に、またラッチ７を戸パネル５側にそれぞれ設ける通常の開き戸の構成をそのまま採用することができる。
【００６０】
さらに、戸パネル５の回動側端部５ｂに対応する縦枠部１ｂに操作ボタン１９、ラッチ解除機構１７及び戸パネル押出機構１８を設ければよいので、従来のように、戸パネル５の支持側及び回動側にそれぞれ弾性材料及び押しボタンを分けて設けることも不要で、開き戸開放装置１０の構造及び施工は簡単になる。
【００６１】
また、新規に取り付けられる開き戸Ｄは勿論であるが、既存の開き戸Ｄの枠１に開き戸開放装置１０を取り付けることもできる。その場合、上記のように開き戸Ｄに用いられている従来のラッチ７がそのまま使用できるため、そのラッチ７を特に変更する必要がない。
【００６２】
尚、この実施形態１においては、揺動リンク３７の基端部に連結された係合ピン２８とスライド部材２３における連結部２３ｂの長孔２７との間にクリアランスＣを設けたが、揺動リンク３７の先端部と戸パネル押出部材３３との間に同様のクリアランスを設けてもよく、それらの両方に設けることも可能である。
【００６３】
（実施形態２）
図９及び図１０は本発明の実施形態２を示し（尚、以下の各実施形態では、図１〜図８と同じ部分については同じ符号を付してその詳細な説明は省略する）、上記実施形態１では、ラッチ７の係合解除動作（没入動作）と戸パネル５の押圧動作とをスライド部材２３を用いて行うようにしているのに対し、回動部材を用いて行うようにしたものである。
【００６４】
この実施形態では、上記実施形態１と同様に、枠１の左側縦枠部１ｂに開き戸開放装置１０が取り付けられ、この開き戸開放装置１０は縦長のケーシング１１を有している。このケーシング１１における右壁部（戸パネル５の回動側端部５ｂに対応する側の壁部）の上下略中央でやや後側寄りには、ケーシング１１と別体のラッチ受材４０が一体的に取付固定され、このラッチ受材４０とケーシング１１の右壁部とに亘り貫通してケーシング１１内に連通する開口からなるラッチ受け１５が形成されており、このラッチ受け１５（開口）に戸パネル５側のラッチ７を進入させて、ラッチ７とラッチ受け１５とを係合させる。
【００６５】
上記ケーシング１１の前壁部上側にはボタン挿通口１２が開口され、このボタン挿通口１２には操作ボタン１９が前後方向に移動可能に挿通され、この操作ボタン１９は後側部にてケーシング１１内に抜け止めされて支持されている。
【００６６】
また、ケーシング１１の右壁部の上部前側には、後述の支持軸４５を中心とする円弧状のガイド孔４２が貫通形成されており、このガイド孔４２により後述の力点部４７を案内するとともに、揺動部材４４の揺動範囲を規制している。
【００６７】
また、ケーシング１１の右壁部には上下略中央のやや後寄りの位置に揺動部材４４が、前後方向と直交する左右水平方向の支持軸４５（支点）を介して揺動可能に支持されている。この揺動部材４４は、上側に向かって前側に向かうように延びる上側のレバー部４４ａと、下側に向かって前側に向かうように延びかつレバー部４４ａよりも広い幅の下側のアーム部４４ｂとを一体形成した略Ｌ字状に湾曲する板状のもので、レバー部４４ａとアーム部４４ｂの境界である中間部にて上記支持軸４５で支持されている。
【００６８】
上記揺動部材４４におけるレバー部４４ａの上端（揺動部材４４の一端部）には左方向に延びる丸棒等からなる力点部４７が一体的に形成され、この力点部４７は上記ガイド孔４２を通ってケーシング１１内に延びていて上記操作ボタン１９の後面に当接可能になっている。また、レバー部４４ａ上端の力点部４７とケーシング１１内の前壁部後面との間には、揺動部材４４をレバー部４４ａ上端が前側に向かう方向に回動付勢するための引張ばね４８が操作ボタン１９による力点部４７の押圧と干渉しないように伸装されており、操作ボタン１９が押込み操作されたときに、その操作ボタン１９の動きを力点部４７で受けて揺動部材４４を引張ばね４８の付勢力に抗して支持軸４５回りに回動させ、アーム部４４ｂの先端部（揺動部材４４の他端部）が前側に移動する開放動作を行わせるようにしている。
【００６９】
そして、揺動部材４４の他端側であるアーム部４４ｂ先端部（下端部）の前側部にはラッチ解除機構１７の一部をなすラッチ押込み部５０が形成されている。このラッチ押込み部５０は、下側に向かって前側に向かうように傾斜しており、揺動部材４４の上記開放動作に伴い、ラッチ押込み部５０が上記ラッチ７の先端傾斜面７ａをその後側（下端部の角部）から前側に押圧して、その分力によりラッチ７を没入方向に押込み移動させるようになっている。
【００７０】
さらに、上記揺動部材４４の他端側であるアーム部４４ｂ先端部（下端部）の後側部における右側には、上記上下の戸当たり２，２間で下側の戸当たり２近傍に、戸パネル押出機構１８の一部をなす戸パネル押出部材３３が左右水平方向の軸５２により揺動可能に支持されている。この戸パネル押出部材３３は、上記戸当たり２の突出高さと同じ幅を持つ板状のもので、その長さ方向の中央部に軸５２が幅方向に延びるように挿通されている。また、戸パネル押出部材３３は、その重心が軸５２よりも下側にあって、自由状態では上下方向に延びる垂直姿勢になるようにアーム部４４ｂに支持されており、揺動部材４４の開放動作（アーム部４４ｂの前側への移動）に伴い戸パネル押出部材３３で閉じ位置にある戸パネル５を後面側から押すようになっている。その他の構成は実施形態１と同じである。
【００７１】
したがって、この実施形態においては、開き戸Ｄが閉じ位置にあるとき、上記実施形態１と同様に、戸パネル５のラッチ７はばねに付勢されて戸先端面から突出し、枠１の左側縦枠部１ｂにおけるケーシング１１のラッチ受け１５に進入して係合しており、戸パネル５が上下の戸当たり２，２に当接した状態で閉じ位置に保持されている。また、左側縦枠部１ｂのケーシング１１の右壁部に支持されている揺動部材４４は、その上端の力点部４７に対する引張ばね４８の回動付勢力により図９で反時計回り方向に回動して、その力点部４７がガイド孔４２の前端に位置し、この力点部４７によりケーシング１１内で操作ボタン１９（操作部）の後面が前側に押されて操作ボタン１９が左側縦枠部１ｂの前面から突出している。さらに、揺動部材４４のアーム部４４ｂ先端部（下端部）の前側にあるラッチ押込み部５０は上記ラッチ７の後側にあって、そのラッチ７の先端傾斜面７ａを押圧していない。
【００７２】
そして、開き戸Ｄを開くときには、上記左側の縦枠部１ｂの前側に突出している操作ボタン１９を押込み操作する。この操作ボタン１９の押込み操作に伴い、その後面が揺動部材４４上端の力点部４７を押し、その揺動部材４４が引張ばね４８の付勢力に抗して図９で時計回り方向に回動する。この揺動部材４４の回動により、まず、揺動部材４４のアーム部４４ｂの前側に形成されているラッチ押込み部５０がラッチ７の先端傾斜面７ａを押圧し、この押圧によりラッチ７が没入方向に移動してラッチ７とラッチ受け１５との係合が解除され、戸パネル５が開放状態となる。
【００７３】
さらに揺動部材４４が回動して力点部４７がガイド孔４２の後端に達すると、図９に仮想線にて示すように、今度は、アーム部４４ｂの後側に支持されている戸パネル押出部材３３が前方向に移動して戸パネル５を後側から前側に押す。このことで、上記ラッチ７の解除によって開放状態となっている戸パネル５が閉じ位置から開き、開き戸Ｄの開放がアシストされる。この後、操作ボタン１９の押込み操作を止めると、引張ばね４８の付勢力によって揺動部材４４が開き動作とは逆の方向に回動して元の姿勢に戻り、力点部４７に押されて操作ボタン１９も元の突出状態に戻る。
【００７４】
そのとき、上記戸パネル押出部材３３は揺動部材４４のアーム部４４ｂに揺動可能に支持されているので、その戸パネル押出部材３３が戸パネル５の後面を押す際に戸パネル５の後面に沿うようにスムーズに回動し、戸パネル５を戸パネル押出部材３３の長さ方向の全体で押すことができる。尚、この戸パネル押出部材３３は揺動部材４４に揺動不能に固定することも可能である。
【００７５】
開き戸Ｄを開き状態から閉じ状態に戻すと、上記開き動作と逆の動作が行われる。よって、この実施形態でも実施形態１と同様の作用効果が得られる。
【００７６】
（実施形態３）
図１１及び図１２は本発明の実施形態３を示し、上記実施形態２で説明した揺動部材４４に操作部を一体に設けるとともに、揺動部材４４のレバー部４４ａとアーム部４４ｂとの上下位置を変えたものである。
【００７７】
すなわち、この実施形態では、開き戸開放装置１０は、上記実施形態１，２の如きケーシング１１ではなくて矩形状の取付プレート１３を有し、この取付プレート１３が枠１の左側縦枠部１ｂの右側面に後部を上下の戸当たり２，２間に位置付けて取付固定されている。そして、取付プレート１３自体にラッチ受け１５が形成されている。つまり、ラッチ受け１５の位置に相当する左側縦枠部１ｂの右側面が部分的に凹陥されているとともに、この凹陥部分が取付プレート１３により覆われ、その取付プレート１３の凹陥部分に対応する一部が矩形状に開口されており、この取付プレート１３の開口と凹陥部分とによってラッチ受け１５が構成されている。
【００７８】
また、取付プレート１３の後側下端部に揺動部材４４が支持軸４５を介して支持されている。この揺動部材４４は前側に向かって下側に向かうようにやや傾斜して延びる下側のレバー部４４ａと、略上下方向に延びる上側のアーム部４４ｂとからなり、レバー部４４ａの先端（前端）は左縦枠部１ｂよりも前側に突出し、その先端には、水平左方向に延びる円柱状の操作部５４が一体的に設けられており、この操作部５４を押込み操作することで、揺動部材４４を支持軸４５回りに図１１で反時計回り方向に回動させて開放動作させるようにしている。
【００７９】
上記アーム部４４ｂの前側上部には、上側に向かって前側に向かうように傾斜するラッチ押込み部５０が形成されており、揺動部材４４の上記開放動作に伴い、ラッチ押込み部５０がラッチ７の先端傾斜面７ａをその後側（その上端部の角部）から該先端傾斜面７ａを前側に押圧して、その分力によりラッチ７を没入方向に移動させる。
【００８０】
そして、アーム部４４ｂの後側上部には上下の戸当たり２，２間に、戸当たり２の突出高さと同じ幅を持つ板状の戸パネル押出部材３３が一体的に固定されている。この戸パネル押出部材３３は、揺動部材４４が開放動作（図１１で反時計回り方向の回動）したときに、閉じ位置にある戸パネル５を後面側から前面上端部で押すように所定の角度で傾斜している。
【００８１】
尚、この実施形態では、取付プレート１３における後側上端部及び前端部にそれぞれピン５５，５５が突設されており、これら２つのピン５５，５５によって揺動部材４４の揺動範囲を規制している。また、実施形態２で用いられている引張ばね４８は省略されている。この実施形態における他の構成は上記実施形態２（図９及び図１０参照）と同様である。
【００８２】
したがって、この実施形態の場合、開き戸Ｄの閉じ状態では、戸パネル５のラッチ７は枠１の左側縦枠部１ｂにおける取付プレート１３のラッチ受け１５に進入して係合し、戸パネル５は上下の戸当たり２，２に当接した状態で閉じ位置に保持されている。また、取付プレート１３に支持されている揺動部材４４は、図１１で時計回り方向に回動してアーム部４４ｂの後端が後側のピン５５に当接した位置にあり、そのレバー部４４ａ先端の操作部５４が左側縦枠部１ｂの前面から突出している。さらに、揺動部材４４のアーム部４４ｂ先端部の前側にあるラッチ押込み部５０は上記ラッチ７の後側にあって、そのラッチ７の先端傾斜面７ａを押圧していない。
【００８３】
この状態から開き戸Ｄを開くときには、上記操作部５４を斜め下側に向けて押込み操作する。この押込み操作に伴い、揺動部材４４が図１１で反時計回り方向に回動し、この揺動部材４４の回動により、まず、揺動部材４４のアーム部４４ｂの前側に形成されているラッチ押込み部５０がラッチ７の先端傾斜面７ａを押圧し、この押圧によりラッチ７が没入方向に移動してラッチ７とラッチ受け１５との係合が解除され、戸パネル５が開放状態となる。この状態では、戸パネル押出部材３３も前方向に移動して略上下方向に延びる姿勢になるが、未だ戸パネル５を押していない。
【００８４】
揺動部材４４がさらに回動してアーム部４４ｂの前端が前側のピン５５に当接すると、図１１で仮想線にて示すように、引き続いて、アーム部４４ｂの後側に固定されている戸パネル押出部材３３が前方向に移動して、その前面上端部で戸パネル５を後側から前側に押す。このことで、上記ラッチ７の解除によって開放状態となっている戸パネル５が閉じ位置から開き、開き戸Ｄの開放がアシストされる。
【００８５】
開き戸Ｄを開き状態から閉じ状態に戻すと、上記開き動作と逆の動作が行われる。よって、この実施形態でも実施形態２と同様の作用効果が得られる。
【００８６】
尚、この実施形態３においては、揺動部材４４のレバー部４４ａを下側に、またアーム部４４ｂを上側にそれぞれ配置して、操作部５４の斜め下側への押込み操作により揺動部材４４を開き動作させるようにしているが、これに代え、揺動部材４４のレバー部４４ａとアーム部４４ｂとの上下位置を変えることで、操作部５４の斜め上側への押込み操作により揺動部材４４を開き動作させるようにしてもよく、実施形態３と同様の作用効果を奏することができる。
【００８７】
（他の実施形態）
尚、上記各実施形態では、戸パネル５の前側にレバーハンドル８を設けているが、枠１側の開き戸開放装置１０によってラッチ７を没入させてラッチ受け１５との係合を解除できるので、この前側のレバーハンドル８を省略することもできる。
【００８８】
また、実施形態２及び３では、ラッチ受け１５と一体化された開き戸開放装置１０を取り付けているが、既存のラッチ受けをそのまま用いる場合あれば、そのラッチ受けを除いた同様の機構を持つ開き戸開放装置を加えて取り付ければよい。
【産業上の利用可能性】
【００８９】
本発明は、開き戸の枠側に開き戸開放装置を設けるだけの簡単な構造でラッチの没入動作後に戸パネルを開き方向に移動させることができるので、極めて有用で産業上の利用可能性が高い。
【図面の簡単な説明】
【００９０】
【図１】図１は、本発明の実施形態に係る開き戸開放装置をラッチがラッチ受けに係合している状態で拡大して示す水平断面図である。
【図２】図２は、図１に示す状態を枠内側から見て示す側面図である。
【図３】図３は、ラッチのラッチ受けとの係合が解除されて戸パネル押出部材が戸パネルを押し始める状態を示す図１相当図である。
【図４】図４は、図３に示す状態を示す図２相当図である。
【図５】図５は、戸パネル押出部材が戸パネルを押した状態を示す図１相当図である。
【図６】図６は、図５に示す状態を示す図２相当図である。
【図７】図７は、開き戸開放装置の要部を拡大して示す斜視図である。
【図８】図８は開き戸の正面図である。
【図９】図９は、本発明の実施形態２に係る開き戸開放装置を枠内側から見て示す側面図である。
【図１０】図１０は、実施形態２に係る開き戸開放装置を表側から見て示す正面図である。
【図１１】図１１は、本発明の実施形態３に係る開き戸開放装置を示す図９相当図である。
【図１２】図１２は、実施形態３に係る開き戸開放装置を示す図１０相当図である。
【符号の説明】
【００９１】
Ｄ  開き戸
１  枠
５  戸パネル
５ａ  支持側端部
５ｂ  回動側端部
６  蝶番（支軸）
７  ラッチ
７ａ  先端傾斜面
８  レバーハンドル
１０  開き戸開放装置
１１  ケーシング
１３  取付プレート
１５  ラッチ受け
１７  ラッチ解除機構
１８  戸パネル押出機構
１９  操作ボタン（操作部）
２３  スライド部材
２５  傾斜カム面
２７  長孔
２８  係合ピン
３３  戸パネル押出部材
３５  リンクピン
３７  揺動リンク
３８  支持軸（支点部材）
Ｃ  クリアランス
Ｌ１  係合ピンの位置から支持軸までの距離
Ｌ２  リンクピンの位置から支持軸までの距離
４４  揺動部材
４５  支持軸
５０  ラッチ押込み部
５４  操作部
【図１】
2008174997.tif 000003
【図２】
2008174997.tif 000004
【図３】
2008174997.tif 000005
【図４】
2008174997.tif 000006
【図５】
2008174997.tif 000007
【図６】
2008174997.tif 000008
【図７】
2008174997.tif 000009
【図８】
2008174997.tif 000010
【図９】
2008174997.tif 000011
【図１０】
2008174997.tif 000012
【図１１】
2008174997.tif 000013
【図１２】
2008174997.tif 000014